(57)【要約】【課題】  従来のギブスは装着及び、取りはずしに大変手間がかかっていたため、完治するまでギブスを取り付けたままであった。しかし、本発明のギブスは簡単に着脱できるため、繰返し使用できるので経済的で、ごみもでない。また途中経過の検診や、掻痒感を改善することができ、皮膚の衛生にもつながることを目的とするものである。【解決手段】  本発明の解決手段は、合成樹脂でできた一重構造部と二重構造部からなるシートで、その二重構造部には空気室が設けられ、逆止弁より空気を送気することによって内方向へ向けて狭まることが可能になる。その二重構造部には患部を固定するために取り外し可能な添え木を設け、一重構造部と二重構造部には皮膚を衛生的にするために通気口を設けていることと、簡単に患部に巻きつけて着脱できることを特徴とする医療用ギブスである。【選択図】図８
2007098091.tif 000002
【特許請求の範囲】
【請求項１】
筒体式の本体１は合成樹脂でできている外壁部２の一方の先端を内側に折り返して内壁部３となり、その反対側の先端は外壁部２の先端と接合して密閉された外壁部２と内壁部３との間に周回状の空気室５ができる。その空気室５の外壁部２の外側に連通した逆止弁４が設けてあり、その逆止弁４に空気を送気することによってその内壁部３が内方向へ向けて狭まることが可能な筒体式の本体１で構成されたことを特徴とする医療用ギブスである。
【請求項２】
筒体式の本体１は合成樹脂でできている外壁部２の一方の先端を内側に折り返して内壁部３となり、その反対側の先端は外壁部２の先端と接合して密閉された外壁部２と内壁部３との間に周回状の空気室５ができる。また、外壁部２と内壁部３に貫通した通気口６が設けてあり、その通気口の廻りも同様に空気が漏れないように密閉する。その空気室５の外壁部２の外側に連通した逆止弁４が設けてあり、その逆止弁４に空気を送気することによってその内壁部３が内方向へ向けて狭まることが可能な筒体式の本体１で構成されたことを特徴とする医療用ギブスである。
【請求項３】
シート式の本体１は合成樹脂でできた外壁部２と内壁部３からなる二重構造と一重構造からなるシートで、その二重構造の四隅を接合して密閉する。その内側に、外壁部２と内壁部３の間に空気室５ができる。その空気室５の外壁部２の外側に連通した逆止弁４が設けてあり、その逆止弁４に空気を送気することによってその内壁部３が内方向へ向けて狭まることが可能になる。また二重構造の表面と一重構造のベルト９の部分の裏面にマジックテープ１０を接合して患部７に巻きつけるシート式の本体１で構成されたことを特徴とす医療用ギブスである。
【請求項４】
シート式の本体１は合成樹脂でできた外壁部２と内壁部３からなる一重構造と二重構造からなるシートで、その二重構造の四隅を接合して密閉することによって、外壁部２と内壁部３の間に空気室５ができる。その空気室５の外壁部２の外側に連通した逆止弁４が設けてあり、その逆止弁４に空気を送気することによってその内壁部３が内方向へ向けて狭まることが可能になる。また患部７に巻きつけるために二重構造の表面と一重構造のベルト９の部分の裏面にマジックテープ１０を接合する。そして一重構造のベルト９の部分には開口部８が設けてあり、二重構造には空気室５の空気が漏れないように通気口６の廻りを接合して密閉させて、患部７に巻きつけるシート式の本体１で構成されたことを特徴とする医療用ギブスである。
【請求項５】
シート式の本体１の内壁部３に、添え木収納部１２を設け、その添え木収納部１２に添え木１１を収納することを特徴とする請求項３記載のシート式の医療用ギブスである。
【請求項６】
シート式の本体１の内壁部３のそれぞれの通気口６の間に、添え木収納部１２を設け、その添え木収納部１２に添え木１１を収納することを特徴とする請求項４記載のシート式の医療用ギブスである。
【発明の詳細な説明】
【技術分野】
【０００１】    本発明は骨折等の整形外科治療で用いられる医療用ギブスに関するものである。
【技術背景】
【０００２】  従来のギブスは、布等の中材を創傷部に巻きつけ、その上から石膏を水で練って患部に塗りつけて乾燥させた方法または、キャスティングテープは患部に巻きつける前にテープを水に浸して巻きつけて乾燥後、硬化してギブスとしていた。しかし両者とも即時に取り付けが難しく手間がかかっていた。
【０００３】  その後の患部の検診も着脱が困難なため、取り外して途中経過の検診をすることができなかった。完治後もギブスの取り外しも電動カッターで切断しなければならないので、手間がかかっていた。
また、取り外し後のギブスはゴミになっていた。
【０００４】  従来のギブスでは以上のように簡単に着脱できないため、長期間取り付けたままの状態になるので、骨折以外に同時にすり傷や、怪我をした患部に頻繁に薬を塗る等の治療ができなかったり、汗や脂肪、ほこりで皮膚が不潔になってかゆみが生じたり等の皮膚病になりかねなかった。その結果、患者にとってのギブスは苦痛なものであった。
【発明の開示】
【発明が解決しようとする課題】
【０００５】    従来のギブスは石膏やキャスティングテープを使用していて、これらは即時に取り付けが難しく、完治後のギブスの取り外しは電動カッターで切断しなければならなかった。また途中経過の検診も着脱しにくいため、完治するまで長期間取り付けた状態のままであった。そのため骨折以外に同時にすり傷や、怪我をした患部に頻繁に薬を塗る等の治療ができなかったり、汗や脂肪、ほこり等で皮膚が不潔になってかゆみが生じたり等の皮膚病になる可能性の欠点があった。
【課題を解決するための手段】
【０００６】  上記の課題を解決するために、本発明のギブスは請求項１から５に示すように手段を説明する。
請求項１について、筒体式の本体１は合成樹脂でできている外壁部２の一方の先端を内側に折り返して内壁部３となり、その反対側の先端は外壁部２の先端と接合して密閉されて外壁部２と内壁部３の間に周回状の空気室５ができる。その空気室５の外壁部２の外側に連通した逆止弁４が設けてあり、その逆止弁４に空気を送気することによってその内壁部３が内方向へ向けて狭まることが可能な筒体式の本体１で構成されたことを特徴とするものである。【０００７】  請求項２について、筒体式の本体１は合成樹脂でできている外壁部２の一方の先端を内側に折り返して内壁部３となり、その反対側の先端は外壁部２の先端と接合して密閉された外壁部２と内壁部３との間に周回状の空気室５ができる。また、外壁部２と内壁部３に貫通した通気口６が設けてあり、その通気口の廻りも同様に空気が漏れないように密閉する。その空気室５の外壁部２の外側に連通した逆止弁４が設けてあり、その逆止弁４に空気を送気することによってその内壁部３が内方向へ向けて狭まることが可能な筒体式の本体１で構成されたことを特徴とするものである。【０００８】  請求項３について、シート式の本体１は合成樹脂でできた外壁部２と内壁部３からなる二重構造と一重構造からなるシートで、その二重構造の四隅を接合して密閉する。その内側に、外壁部２と内壁部３の間に空気室５ができる。その空気室５の外壁部２の外側に連通した逆止弁４が設けてあり、その逆止弁４に空気を送気することによってその内壁部３が内方向へ向けて狭まることが可能になる。また二重構造の表面と一重構造の裏面にマジックテープ１０を接合して患部７を巻きつけるシート式の本体１で構成されたことを特徴とするものである。【０００９】  請求項４について、シート式の本体１は合成樹脂でできた外壁部２と内壁部３からなる二重構造と一重構造からなるシートで、その二重構造の四隅を接合して密閉することによって、外壁部２と内壁部３の間に空気室５ができる。その空気室５の外壁部２の外側に連通した逆止弁４が設けてあり、その逆止弁４に空気を送気することによってその内壁部３が内方向へ向けて狭まることが可能になる。また患部７に巻きつけるために二重構造の表面と一重構造のベルト９の部分の裏面にマジックテープ１０を接合する。そして一重構造のベルト９の部分には開口部８が設けてあり、二重構造には空気室５の空気が漏れないように通気口６の廻りを接合して密閉されたシート式の本体１で構成されたことを特徴とするものである。【００１０】  請求項５について、シート式の本体１の内壁部３に、添え木収納部１２を設け、その添え木収納部１２に添え木１１を収納できる請求項３記載のシート式の本体１で構成されたことを特徴とするものである。【００１１】  請求項６について、シート式の本体１の内壁部３のそれぞれの通気口６の間に、添え木収納部１２を設け、その添え木収納部１２に添え木１１を収納できる請求項４記載のシート式の本体１で構成されたことを特徴とするものである。【００１２】  以上の本発明の実施例に示すギブスは合成樹脂でできていて、形成時の接合は接着剤を使用せず、全て溶着加工のため破損しにくい。【００１３】  本発明の請求項１及び２は患部７を筒体本体���に差し入れて逆止弁４より送気することで内壁部３が内側に狭められ、患部にフィットして締めつけることによりギブスとなる。取り外しは、逆止弁４の根元を指で挟むことにより空気が抜けて取り外すことができる仕組みになっている。【００１４】  本発明の請求項３または４または５または６は患部にシート本体１を巻きつけてマジックテープ１０で止め、逆止弁４より送気することで内壁部３が内側に狭められ、患部７にフィットして締めつけることによりギブスとなる。取り外しは、逆止弁４の根元を指で挟むことにより空気が抜けて取り外すことができる仕組みになっている。【００１５】  本発明の請求項２または４または６の通気口６は患部７の表面の通気を良くすることで、患部７を清潔に保つことができる。
【発明の効果】
【００１６】  本発明のギブスは骨折や捻挫の治療を迅速に行うとともに、着脱が容易なため、患部が完治するまでの途中検診も可能であるとともに、発汗、脂肪、垢等による皮膚の洗浄も簡単に行えるので皮膚病の予防になる。また、本発明は本体に通気口が設けられているため通気性が良く、今までのように密閉されて皮膚病になるということが起こりにくくなる。また、取り外しができる添え木を設けているため、患部の状態にあわせて治療ができる。【００１７】  本発明は着脱が簡単なので、繰返し使用できるため経済的であり、ごみもでない。
【発明を実施するための最良の形態】
【実施例】
【００１８】  以下発明の一実施形態を図１ないし図１４に基づいて説明する。
図１は本発明の請求項２の斜視図である。
図２は本発明の図５のＡ−Ａ′の縦断面図である。
図３は本発明の図６のＡ−Ａ′の縦断面図である。
図４は本発明の図６のＡ−Ａ′の縦断面図である。
図５は本発明の図２のＡ−Ａ′の横断面図である。
図６は本発明の図３のＡ−Ａ′の横断面図である。
図７は本発明を患部７に取り付けた縦断面図である。
図８は本発明の請求項４の斜視図である。
図９は本発明の図８の平面図である。
図１０は本発明の図９のＡ−Ａ′の横断面図である。
図１１は本発明の図８のＡ−Ａ′の横断面図である。
図１２は本発明の図８に空気を送気した状態を示す横断面図である。
図１３は本発明の図１を指に取り付けた斜視図である。
図１４は本発明の図８を腕に取付けた斜視図である。【００１９】  図面を追って詳しく説明すると、
図１は請求項２の筒体１に逆止弁４及び通気口６を設けた斜視図である。
図２は外壁部２内壁部３逆止弁４の断面をあらわした縦断面図である。
図３は本体１の逆止弁４から空気を送気して内壁部３が内方向に狭められた状態の縦断面図である。
図４は図６のＡ−Ａ′の位置の通気口６の断面をあらわした縦断面図である。
図５は図２のＡ−Ａ′の位置の送気前の横断面図である。
図６は図３のＡ−Ａ′の位置の逆止弁４から空気室５に送気して内壁部３が内側に狭められて患部７が固定された状態の横断面図である。
図７は本体１を指に取り付けて逆止弁４から空気室５に送気して内壁部３が内側に狭められて、指が固定された状態の図６のＡ−Ａ′の位置の縦断面図である。
図８は請求項６の斜視図であり図９の平面図を立体的に組み立てた状態の斜視図である。
図９は図８の組立前の平面図である。
図１０は図９のＡ−Ａ′の横断面図である。
図１１は内壁部３に添え木１１を収納して、逆止弁４から空気室５に送気する前の図８の横断面図である。
図１２は内壁部３に添え木１１を収納して、逆止弁４から空気室５に送気して内壁部３が内側に狭められて患部７が固定された状態をあらわす図８の横断面図である。
図１３は本発明の図１を指に取り付けた斜視図である。
図１４は本発明の図８を腕に取付けた斜視図である。【００２０】  本発明の実施例の筒体式の本体１及びシート式の本体１は合成樹脂（塩化ビニール）なので溶着してできているが、その他の溶着できる材料であれば何を使用してもよい。【００２１】  本発明の請求項１と２の実施例は筒体式であり、請求項３・４・５・６の実施例はシート式であるが、どちらも筒状になれば本体１の材料は合成樹脂（塩化ビニール）でできているので、外壁部２は膨張せず、内壁部３は内側に狭められてギブスの作用となる。【００２２】  本発明の請求項１及び２はディッピング（どぶ付け）で形成しているが、インジェクションで形成してもよい。【００２３】  本発明の請求項３及び４は長方形のシートとなっているが、台形等その他の形状であってもよい。【００２４】  本発明の請求項１から４の逆止弁４はダブルストッパー（二重蓋付き）があり、空気漏れを防ぐ。この逆止弁４は空気室５に埋め込めるようになっている。【００２５】  本発明の請求項３・４・５・６の本体の取付け用にマジックテープ１０を使用しているが、包帯留め用ネットを使用しても良い。【００２６】  本発明の請求項２または４または６の通気口６は縦並びの位置で設けられていて、空気室５に送気したときに図６のように、通気口６が内側に狭められないので空気の道ができ、よりいっそう通気性がよくなる。【００２７】  本発明の請求項５または６の添え木は軽金属、もしくはセラミック等の合金を使用するのがふさわしい。
【図面の簡単な説明】
【図１】は本発明の請求項２の斜視図である。
【図２】は本発明の図５のＡ−Ａ′の縦断面図である。
【図３】は本発明の図６のＡ−Ａ′の縦断面図である。
【図４】は本発明の図６のＢ−Ｂ′の縦断面図である。
【図５】は本発明の図２のＡ−Ａ′の横断面図である。
【図６】は本発明の図３のＡ−Ａ′の横断面図である。
【図７】は本発明を患部７に取り付けた縦断面図である。
【図８】は本発明の請求項４の斜視図である。
【図９】は本発明の図８の平面図である。
【図１０】は本発明の図９のＡ−Ａ′の横断面図である。
【図１１】は本発明の図８のＡ−Ａ′の横断面図である。
【図１２】は本発明の図８に空気を送気した状態を示す横断面図である。
【図１３】は本発明の図１を指に取り付けた斜視図である。
【図１４】は本発明の図８を腕に取付けた斜視図である。
【符号の説明】
【００２７】１    本体
２    外壁部
３    内壁部
４    逆止弁
５    空気室
６    通気口
７    患部
８    開口部
９    ベルト
１０  マジックテープ
１１  添え木
１２  添え木収納部
【図１】
2007098091.tif 000003
【図２】
2007098091.tif 000004
【図３】
2007098091.tif 000005
【図４】
2007098091.tif 000006
【図５】
2007098091.tif 000007
【図６】
2007098091.tif 000008
【図７】
2007098091.tif 000009
【図８】
2007098091.tif 000010
【図９】
2007098091.tif 000011
【図１０】
2007098091.tif 000012
【図１１】
2007098091.tif 000013
【図１２】
2007098091.tif 000014
【図１３】
2007098091.tif 000015
【図１４】
2007098091.tif 000016